(57)【特許請求の範囲】
【請求項１】
背もたれの背面に固定される受け部材と、前記受け部材に取り付けられるハンガー部材とを有しており、前記受け部材は、その全体が前記ハンガー部材の基部で覆われているか、又は、下面を除いた部分が前記ハンガー部材の基部で覆われている、
椅子のハンガー装置。
【請求項２】
前記受け部材及びハンガー部材の基部には、ハンガー部材を下向き動させると互いに嵌まり合って両者を前後左右のいずれにも離反不能に保持する嵌合手段と、前記嵌まり合いに伴う引っ掛かりによって前記ハンガー部材を上向き抜け不能に保持する係合手段とが設けられており、前記受け部材は下面を除いた部分が前記ハンガー部材の基部で覆われている、
請求項１に記載した椅子のハンガー装置。
【請求項３】
前記受け部材は、椅子の手前側からねじ込んだビスで前記背もたれに固定されるようになっており、前記受け部材に、前記ビスがねじ込まれるナットを保持するポケット部が上向きに開口した状態に形成されており、前記受け部材の上面は前記ハンガー部材の基部で上から覆われている、
請求項１又は２に記載した椅子のハンガー装置。
【請求項４】
前記ハンガー部材は、左右横長の基部の左右両端から左右の傾斜部が互いの間隔を広げながら斜め上向きに立ち上がって全体として逆台形状のループ構造になっている、
請求項１〜３のうちのいずれかに記載した椅子のハンガー装置。
【発明の詳細な説明】
【技術分野】
【０００１】
本願発明は、椅子のハンガー装置に関する。
【背景技術】
【０００２】
椅子にハンガー装置を取り付けるにおいて、背もたれの背面に取り付ける場合がある。この場合、例えば特許文献１〜３に記載されているように、受け部材を背もたれの背面にビスで固定し、受け部材にハンガー部材を取り付けている。
【先行技術文献】
【特許文献】
【０００３】
【特許文献１】実開平４−３２１３７号公報
【特許文献２】特許第４０４６３９３号公報
【特許文献３】特許第４０６１０４７号公報
【特許文献４】特開２００９−１１２７２７号公報
【発明の概要】
【発明が解決しようとする課題】
【０００４】
さて、ハンガー装置を受け部材とハンガー部材とで構成しているのは、ハンガー部材の高さや姿勢を調節可能とするためであったり、固定用のビスを隠すためであったり、或いは製造上（加工上）の要請であったりと様々である。いずれにしても、従来は、受け部材は人が普通に立ったり座ったりした状態で人目に触れるように露出している。しかし、受け部材が露出していると美観を損なう場合があった。
【０００５】
本願発明は、このような現状を改善すべくなされたものである。
【課題を解決するための手段】
【０００６】
本願発明は各請求項で特定される。このうち請求項１のハンガー装置は、背もたれの背面に固定される受け部材と、前記受け部材に取り付けられるハンガー部材とを有しており、前記受け部材は、その全体が前記ハンガー部材の基部で覆われているか、又は、下面を除いた部分が前記ハンガー部材の基部で覆われている。
【０００７】
請求項２のハンガー装置は、請求項１において、前記受け部材及びハンガー部材の基部には、ハンガー部材を下向き動させると互いに嵌まり合って両者を前後左右のいずれにも離反不能に保持する嵌合手段と、前記嵌まり合いに伴う引っ掛かりによって前記ハンガー部材を上向き抜け不能に保持する係合手段とが設けられており、前記受け部材は下面を除いた部分が前記ハンガー部材の基部で覆われている。
【０００８】
請求項３のハンガー装置は、請求項１又は２において、前記受け部材は、椅子の手前側からねじ込んだビスで前記背もたれに固定されるようになっており、前記受け部材に、前記ビスがねじ込まれるナットを保持するポケット部が上向きに開口した状態に形成されており、前記受け部材の上面は前記ハンガー部材の基部で上から覆われている。
【０００９】
請求項４のハンガー装置は、請求項１〜３のうちのいずれかにおいて、前記ハンガー部材は、左右横長の基部の左右両端から左右の傾斜部が互いの間隔を広げながら斜め上向きに立ち上がって全体として逆台形状のループ構造になっている。
【発明の効果】
【００１０】
本願発明によると、受け部材は隠れていて人目に触れないため、受け部材が露出することによる美観の悪化を防止できる。なお、人が立ったり腰掛けたりした普通の状態では受け部材の下面が人目に触れることはないため、受け部材の下面が下方に露出していることは美観には影響しない。従って、本願発明では、受け部材は、背もたれに取り付けた状態で少なくとも下面を除いた部分が隠れるようにハンガー部材の基部で覆ったらよい。
【００１１】
また、使用者が受け部材に直接触れることがないため、受け部材は表面処理したり美感等を考慮した外観にしたりしていなくても不都合はなく、また、受け部材にねじ込まれたビスがハンガー部材の取付前の状態で露出していても指を怪我する等の慮がない。
【００１２】
受け部材にハンガー部材を取り付ける手段は種々採用し得るが、請求項２の構成を採用すると、ハンガー部材は上から下向き動させて受け部材に嵌め込むだけでよいため、取り付け作業がごく簡単である。
【００１３】
さて、受け部材やハンガー部材は樹脂の成形品を採用することが多いが、ビスを受け部材に直接にねじ込む構造では強度が不足する場合が多い。さりとて、インサート成形法によってナットを埋設すると、製造コストが嵩むのみならず廃棄後の分別も厄介である。この点、請求項３のようにポケット部にナットを装着する構成を採用すると、受け部材の加工の容易性や廃棄後の分別の容易性を損なうことなく高い強度を確保できる。そして、ポケット部はハンガー部の基部で上から覆われているため、ポケット部を設けたことで美観が悪化する問題は生じない。ナットの嵌め込みが簡単である。
【００１４】
請求項４のようにハンガー部材をループ構造にすると、外力が特定部位に集中的に作用することを抑制して頑丈な構造になる。このため，強度面で優れている。
【図面の簡単な説明】
【００１５】
【図１】（Ａ）は椅子の全体側面図、（Ｂ）は部分的な背面図である。
【図２】全部材を表示した分離斜視図である。
【図３】（Ａ）は受け部材とハンガー部材との分離斜視図、（Ｂ）はバックカバーの斜視図である。
【図４】（Ａ）はバックカバーの斜視図、（Ｂ）はハンガー部材の斜視図、（Ｃ）及び（Ｄ）は受け部材の斜視図である。
【図５】要部の分離正面図である。
【図６】（Ａ）は組み立て後の状態を図５のVIA-VIA 視方向から見た断面図、（Ｂ）は組み立て後の状態を図５のVIB-VIB 視方向から見た断面図である。
【図７】非ロッキング状態の縦断側面図である。
【図８】ロッキング状態の縦断側面図である。
【図９】主要部材を表示した分離斜視図である。
【図１０】ロッキング機構部の分離斜視図である。
【図１１】（Ａ）はバックカバーと座板との分離斜視図（座板は上下にひっくり返している）、（Ｂ）及び（Ｃ）は押さえ部材の斜視図である。
【図１２】補助足体を設けた箇所の縦断側面図である。
【発明を実施するための形態】
【００１６】
次に、本願発明の実施形態を図面に基づいて説明する。以下の説明で方向を示すため「前後」「手前」「後ろ」「左右」といった文言を使用するが、これらの文言はロッキング椅子（以下、単に椅子と称する）に着座した人の向き基準にしている。「正面視」は着座者と対向した方向から見た状態になる。
【００１７】
(1).椅子の概要
まず、主として図１，２に基づいて概要を説明する。本実施形態の椅子は事務用のいわゆる回転椅子に適用しており、椅子は、主要要素として、脚装置１、ベース２、座３、背もたれ４、バックサポート（支柱）５を有している。そして、背もたれ４の後面の上部にハンガー装置６を配置している。
【００１８】
脚装置１はガスシリンダより成る脚支柱７を有している。脚支柱７は、放射状に延びる複数本の枝足を有する脚本体の中心部に嵌着されている。例えば図１０に示すように、ベース２は上向きに開口した略函状の形態になっていて脚支柱７の上端に固定されている。そして、ベース２に座受金具（中間金具）８が前後スライド自在に装着されている。
【００１９】
座３は、座板（座インナーシェル）１０とその上面に張られた座クッション体１１とを備えており、座クッション体１１はクロス等の表皮材で覆われている。座板１０の略前半部は座受けシェル（座アウターシェル）１２の上面に取付けられている。座受けシェル１２及び座板１０はＰＰ（ポリプロピレン）等の合成樹脂材を素材とした射出成形品である。
【００２０】
座板１０は、大雑把に言って、前部を構成する第１部分１０ａと後部を構成する第２部分１０ｂとを有し、第１部分１０ａと第２部分１０ｂとの間には座３の左右方向に長いスリット１３の群が形成されている。前後の部分１０ａ，１０ｂは数箇所のスリット１３の箇所において連結片を介して連結されている。スリット１３の群を設けている部分は一種のヒンジ部であり、座板１０はスリット１３の群の箇所で屈曲する。従って、座３は、前側に位置した部分と後ろに位置した部分とが連結された構成になっている。
【００２１】
例えば図２に示すように、背もたれ４は、主として、バックカバー１４と、バックカバー１４の前面に取付けられた背板１５と、背板１５の前面に取付けられた背クッション体１６とで構成されている。背クッション体１６にはクロス等の表皮材が張られている。バックカバー１４を背アウターシェルと言い換え、背板１５を背インナーシェルと言い換えることも可能である。バックカバー１４及び背板１５は、ＰＰ等の合成樹脂材を素材とした射出成形品である。
【００２２】
バックカバー１４は、背板１５を支持する本体部１４ａと、この本体部１４ａの下端から前向き突出した前向き部１４ｂとを有している。従って、バックカバー１４は側面視で略Ｌ字状の外観を呈しており、バックカバー１４における前向き部１４ｂは座板１０の第２部分１０ｂに連結されている。また、バックカバー１４はバックサポート５に下降動自在及び傾動自在に連結されている。
【００２３】
着座した人が背もたれ４に凭れ掛かると、背もたれ４は上端が後退して下端が前進するように後傾動しつつ下降する一方、座３は全体として前進しつつ後部は前部に対して後傾する。ハンガー装置６はバックカバー１４の上部の背面に取り付けられている。次に、ハンガー装置６を説明する。
【００２４】
(2).ハンガー装置
例えば図３，５に示すように、ハンガー装置６は、バックカバー１４の背面に固定される受け部材５０と、受け部材５０に取り付けられるハンガー部材５１とで構成されている。両者とも樹脂の成形品であるが、金属ダイキャスト品を採用することも可能である。ハンガー部材５１は、ループ状の帯板をねじったような態様であって、上に行くほど互いの間隔が広がる左右の傾斜部５１ｂを有しており、このため、全体として正面視逆台形の形態になっている。例えば図５に明示するように、ハンガー部材５１の上端部５１ａはおおむね広い水平面が広がる形態であり、左右傾斜部５１ｂは、平断面視で、後ろに行くに従って左右外側に広がるように傾斜している。また、図１（Ａ）に明示するように、左右傾斜部５１ｂの上部は後ろに反るように側面視で曲がっている。
【００２５】
ハンガー部材５１の下端部は左右方向に長い基部５１ｃになっており、この部分が受け部材５０に取り付けられる。図３から容易に理解できるように、基部５１ｃは、左右傾斜部５１ｂと滑らかに連続する背板５２と、基板５２の上端から前向きに突出した左右横長の上囲い壁５３と、基板５２の左右両側縁から前向きに突出すると共に上囲い壁５３に連続したサイド囲い壁５４とを有している。左右のサイド囲い壁５４は、その間隔が下に行くに従って広がるように正面視で傾斜している。
【００２６】
左右のサイド囲い壁５４からは、請求項に記載した嵌合手段の一貫を成す蟻ホゾ板５５が内向きに突出している。他方、上囲い壁５３の下面からは、請求項に記載した係合手段の一貫として係合爪５６が下向きに突出している。係合爪５６の下端には、側面視山形の前向き鉤部５６ａを形成している。なお、係合爪５６と背板５２との間には間隔が空いている。
【００２７】
上囲い壁５３の先端からは、左右方向に並んだ複数個（４個）の補助突起５７を下向きに突設している。補助突起５７は板状になっているが、棒状等の他の形態でもよい。なお、補助突起５７も請求項に記載した嵌合手段の一部として把握できる。
【００２８】
受け部材５０はハンガー部材５１の基部５１ｃですっぽり覆われる大きさ・形状になっている。すなわち、正面視では略台形であり、上面と左右側面と背面とがハンガー部材５１の基部５１ｃで覆われるようになっており、下面のみが下方に露出している。受け部材５０は下方から覗き込まないと人が見ることはできず、従って、通常の状態で受け部材５０が人目に触れることはない。
【００２９】
受け部材５０の前面には、左右中心部に位置した中心突起５８と、その左右両側に位置した中空ボス部５９とを設けている。中心突起５８は上下に割った状態になっており、かつ、先端には上向き爪５８ａを設けている。他方、バックカバー１４には、中心突起５８が嵌まる中心穴６０と中空ボス部５９が嵌まるビス挿通穴６１とを空けている。図６（Ａ）に示すように、中心突起５８がその弾性に抗して変形してから中心穴６０に嵌まり込むことにより、受け部材５０は後ろからの押し込みによって、バックカバー１４に簡単には抜けない状態に取り付けられる。
【００３０】
受け部材５０のうち左右中空ボス部５９の真後ろに位置した部位には、平面視凸形で上向きに開口したポケット部６２が形成されており、このポケット部６２に、長方形の板にねじ筒を溶接したＴ型ナット６３が上下に長い姿勢で挿入されている。従って、Ｔ型ナット６３は回転不能に保持されている。中空ボス部５９とポケット部６２とは連通しており、図６（Ｂ）に示すように、ビス６４を、バックカバー１４を貫通してＴ型ナット６３にねじ込むことにより、受け部材５０は左右２本のビス６４でバックカバー１４にしっかり固定される。図４（Ｃ）（Ｄ）に示すように、ポケット部６２の後ろには、中空ボス部５９と同心の逃がし穴６２′が後ろ向きに開口している。なお、Ｔ型ナット６３に代えて六角ナットや四角ナットを使用することも可能である。
【００３１】
また、図示していないが、バックカバー１４のような背もたれの背面部にナットを仕込むことも可能で、この場合は、ポケット部６２にＴ型ナット等を挿入することなく、逃がし穴６２′に後ろから挿入したビスを背もたれの構成部材に取り付けたナットにねじ込むことも可能である。つまり、受け部材５０にポケット部６２と逃がし穴６２′とを設けつつ背もたれにナットを仕込むことにより、受け部材５０に対するビスの取付方向が選択可能である。なお、バックカバー１４のような背面部材の前面に上向き開口のポケット部を形成して、このポケット部に挿入したナットに後ろからビスをねじ込むことも可能である。
【００３２】
例えば図４（Ｃ）（Ｄ）から容易に理解できるように、受け部材５０の左右両側面には、ハンガー部材５１の蟻ホゾ板５５が上から嵌まる蟻溝６５が上下及び左右外側に開口する状態に形成されている。左右の蟻ホゾ板５５が左右の蟻溝６５に嵌まることにより、ハンガー部材５１は左右動不能及び前後動不能に保持される。また、ハンガー部材５１の上囲い壁５３が受け部材５０に上から重なっているため、ハンガー部材５１は下向きずれ不能に保持されている。
【００３３】
そして、受け部材の左右中間部に、ハンガー部材５１の係合爪５６が入り込む係合溝６６を形成し、この係合溝６６の箇所に、係合爪５６の鉤部５６ａと引っ掛かり合う係合面６６ａを形成している。従って、ハンガー部材５１を受け部材５０に対して上から押し付けると、ハンガー部材５１の蟻ホゾ板５５が受け部材５０の蟻溝６５に嵌まり込むと共に、係合爪５６は、いったん後ろ側に曲がるように逃げ変形してから戻って、ハンガー部材５１を下降させ切るのと同時に、係合爪５６の鉤部５６ａが係合溝６６の係合面６６ａに噛み合い、これにより、ハンガー部材５１は相当の力をかけないと抜けない状態に保持される。係合溝６６の上端部は、係合爪５６の誘い込みのため傾斜面６６ｂになっている。
【００３４】
図３（Ａ）から容易に理解できるように、受け部材５０のうち上面と前面とが連なる上前角部には、ハンガー部材５１の補助突起５７が嵌合する補助係合穴６７を形成している。このため、ハンガー部材５１に後ろ向きの外力が作用しても、基部５１ｃの上囲い壁５３が後ろにずれる現象は発生せず、固定強度に優れている。
【００３５】
(3).ハンガー装置のまとめ・その他
既述のとおり、ハンガー装置６は受け部材５０に押し重ねる作業によって取り付けられる。このため取り付け作業をワンタッチ的に行える。また、受け部材５０は外部から見えないため美観が悪化することもない。本実施形態のように、ハンガー部材５１の基部及び受け部材５０を左右横長の形態にして、係合爪５６の左右に一対のビス６４と蟻ホゾ板５５及び蟻溝６５を設けると、受け部材５０をバックカバー１４にしっかりと固定できると共に、ハンガー部材５１を受け部材５０にしっかり取り付けることができる。
【００３６】
また、ハンガー装置６に後ろ向きの力が作用すると、その外力は左右傾斜部５１ｂの下端部にモーメントとして作用するが、蟻ホゾ板５５及び蟻溝６５が傾斜部５１ｂの付け根の近傍に位置しているため、外力をしっかりと支えることができ、このため、強度面で優れている。
【００３７】
受け部材やハンガー部材は必要に応じて任意の形状を採用できる。例えば、ハンガー部材５１は正面視Ｔ形に形成することも可能である。ハンガー部材５１の取り付け手段としては、後ろからの押し付けで互いに嵌合して抜け不能に保持せしめることも可能である。また、ハンガー部材５１を受け部材５０に上から又は後ろから嵌め込んで、下方から挿通操作するビスで両者を固定することも可能である。受け部材５０に対してハンガー部材５１を後ろから嵌め込む場合、下方から覗き込んでも受け部材５０が見えないように、受け部材５０をハンガー部材５１の基部５１ｃで完全に覆う構成を採することも可能である。
【００３８】
嵌合手段としては、突起と穴との組み合わせなども採用できる。係合手段としては、例えばボールキャッチも採用できる（従って、ばねとスライド式ストッパーのような他の部材を使用することも可能である。）。
【００３９】
(4).座と背もたれとの関係の補足説明
さて、ロッキング椅子において、ロッキング時に座の後端と背もたれの下端とが接触することがあり、その場合、座及び背もたれの表面がビニルレザーのような緻密構造の表皮材で構成されていると、接触によって擦れ音が発生するおそれである。本実施形態ではこれに対する対策も開示している。この点を以下に補足説明する。
【００４０】
(5).バックサポート・ベース部
要点の説明に先立って、まず、バックサポート５やベース２のような支持機構部を説明する。本実施形態のバックサポート５は左右一対のパイプ材で側面視Ｌ字状に形成されており、このバックサポート５に裏側から支柱カバー１８が装着されている。左右のバックサポート５は補強材５ａで連結されている。
【００４１】
例えば図２，１０に示すように、バック支柱１７の基部は、ベース２の内面に固定されたベース基板１９に溶接などにて固定され、更に、補強金具２０で押さえ保持している。ベース２は既述のとおり上向きに開口した箱形の外観を呈しており、後端は開放されている。そして、後部内面に既述のベース基板１９が溶接によって固着されている。例えば図７，８に示すように、ベース２とベース基板１９には上下に開口した受け筒２１が固着されており、この受け筒２１に脚支柱７の上端を下方から嵌着している。
【００４２】
例えば図１０に示すように、ベース２の左右両側板２ａには前後長手の長穴２３が形成されており、この長穴２３に樹脂製のブッシュ２４を装着し、左右両ブッシュ２４に左右長手のガイド軸２５が前後スライド自在に挿通されている。ブッシュ２４は長穴２３に外側から嵌め込んでおり、ベース３の外面に当たるフランジ２４ａを有している。ガイド軸２５は、座受金具８の後部に設けた下向きの軸受け片２６に挿通している。
【００４３】
詳細は省略するが、座受金具８の前部は座板１０の下面に設けたポケット部に後ろから嵌まっており、その状態で、座板１０は座受金具８の後部に左右２本のねじで締結されている。
【００４４】
例えば図１０に示すように、ベース２の内部には、ロッキング用弾性支持手段の一例として、前後方向に伸縮するロッキンばね用のコイルばね２８を配置している。他方、座受金具８の後端部には、下向きの後部ばね受け支持片２９が形成されている。コイルばね２８は後部ばね受け３０を介して後部ばね受け支持片２９で後ろから支持されている。また、コイルばね２８の前端は前部ばね受け３１を介してベース２の前壁で支持されている。従って、座受金具８はコイルばね２８に抗して前進動する。
【００４５】
例えば図１０に示すように、ベース２における左右両側板２ａの上端には左右外向きの水平片２ｂが一体に形成されており、この水平片２ｂに樹脂製のスライド補助体３３が装着されている。スライド補助体３３は水平片２ｂを抱持するように断面略溝形の形態になっている。また、座受金具８の左右両側部には、スライド補助体３３を外側から包み込む溝形の抱持部３４が形成されている。この抱持部３４がスライド補助体３３に対してスライドすることにより、座受金具８はベース２に対してスムースに前後摺動する。
【００４６】
詳細は省略するが、座板１０のうち前側を構成する第１部分１０ａは係合爪同士より成るキャッチ手段で座受けシェル１２に連結されており、また、座板１０のうち後部を構成する第２部分１０ｂも、係合爪と係合穴との組み合わせによるキャッチ手段でバックカバー１４の前向き部に取付けられている。
【００４７】
(6).背もたれの構造
例えば図９から理解できるように、バックカバー１４の左右中間部には下向きに開口した長溝３５が形成されており、このためバックカバー１４の前向き部１４ｂは左右に分断されている。そして、バックカバー１４における左右前向き部１４ｂの前端には軸受け部３６が形成されており、この左右軸受け部３６とベース２における左右両側板２ａの後端とがガイド軸２５で連結されている。
【００４８】
例えば図２から理解できるように、長溝３５は、バックカバー１４における本体部１４ａの上下中途高さ位置まで延びている。但し、前向き部１４ｂの前後方向の中途部及び本体部１４ａの上下方向中途部には、長溝３５を跨ぐ複数の連結部３７が一体に形成されている。
【００４９】
例えば図９に示すように、バック支柱１７の上端部には補強ブラケット３８が固定されており、この補強ブラケット３８に、ガイドピン３９が固定されている。ガイドピン３９の左右両端部は補強ブラケット３８の左右外側に露出している。
【００５０】
他方、バックカバー１４における長溝３５の左右内側面の上部には、上下長手のガイド溝４０が互いに向かい合う状態に形成されている。左右のガイド溝４０には溝形の樹脂製ガイド部材４１が嵌まっており、このガイド部材４１の溝に、ガイドピン３９の端部が上下スライド自在に嵌まっている。ガイド部材４１は、側面視において緩い曲率で前向き凹状に湾曲している。
【００５１】
(7).動きのまとめ・補足説明の要点
ロッキング状態では、姿勢が一定のバックサポート５に対して背もたれ４が沈み込みながら後傾する。これと同時に座３は全体として前向きに移動しつつ、第２部分３ｂは第１部分３ａに対して後傾する。ロッキング状態から身体を起こすと、背もたれ４及び座３はコイルばね２８によって元の状態に戻る。
【００５２】
そして、ロッキングに際して座３の後部が曲率を変えることなく下向きに沈めば、座３の後端と背もたれ４の下端とが接触することはないが、座板１０の第２部分１０ｂはバックカバー１４の左右前向き部１４ｂに連結されており、左右前向き部１４ｂの間隔はさほど広くないため、座３の後端のうち左右中央部は背もたれ４に接触しないものの、座３の後端のうち左右端部寄りの部位は十分に下向き動せずに、背もたれ４の下端と接触する現象が生じる可能性である。その結果、表皮材がレザー質の場合、こすれ音が発生するおそれがある。
【００５３】
この点は、ロッキング時に座の後端がどの部位においても背もたれ４の下端と接触しないように設定したらよい。そこで本実施形態の椅子では、図１１，図１２に示すように、座板１０の第２部分１０ｂの後端に四角形の補助穴４５を設けて、この補助穴４５に後ろ向き突出する補助足体４６を取り付け、この補助足体４６の先端（後端）をバックカバー１４に設けた横長リブ４７に下方から当接させている。
【００５４】
補助足体４６はＴ形の蟻ホゾ部４６ａを有しており、この蟻ホゾ部４６ａを補助穴４５に手前から嵌め入れることにより、補助足体４６を座板１０の第２部分１０ｂに取り付けている。ロッキングに際しては、補助足体４６がバックカバー１４の横長リブ４７で下向きに押されることにより、座３の後端は背もたれ４の下端と隙間Ｓがあいた状態に保持される。従って、表皮材がレザー系であってもこすれ音が発生することはない。補助足体４６の先端には、横長リブ４７の下面部への進入を容易ならしめるため傾斜ガイド面４６ｂを形成している。
【産業上の利用可能性】
【００５５】
本願発明は椅子に具体化して有用性を発揮する。従って産業上利用できる。
【符号の説明】
【００５６】
４  背もたれ
６  ハンガー装置
５０  受け部材
５１  ハンガー部材
５１ｂ  傾斜部
５１ｃ  ハンガー部材の基部
５３，５４  囲い壁
５５  嵌合手段の一例として蟻ホゾ板
５６  係合手段の一例としての係合爪
６２  ポケット部
６３  Ｔ型ナット
６４  ビス（ボルト、ねじ）
６５  嵌合手段の一例としての蟻溝
【図１】
0005837764.tif 000002
【図２】
0005837764.tif 000003
【図３】
0005837764.tif 000004
【図４】
0005837764.tif 000005
【図５】
0005837764.tif 000006
【図６】
0005837764.tif 000007
【図７】
0005837764.tif 000008
【図８】
0005837764.tif 000009
【図９】
0005837764.tif 000010
【図１０】
0005837764.tif 000011
【図１１】
0005837764.tif 000012
【図１２】
0005837764.tif 000013